(57)【要約】【課題】窒化ガリウム系半導体レーザを光源として用いた堅牢な外部共振器型半導体レーザを提供する。【解決手段】窒化ガリウム系の材料を含む半導体レーザ素子４と、半導体レーザ素子４の出射光の光路上に配置される第一レンズ１と、第一レンズ１を透過された光の光路上に配置され、特定の波長の光を選択するための波長選択素子５と、波長選択素子５を通過した光の光路上に配置され、光を出力ミラー１０上で結像する第二レンズ２と、第二レンズ２を透過して集光された光の光路上に配置される出力ミラー１０とを備える。出力ミラー１０は少なくとも一面に透光性の保護部材２０が接合される。第二レンズ２を透過して出力ミラー１０に入射される光を、出力ミラー１０の面上で結像させつつ、この結像面を保護部材２０で保護している。【選択図】図１
2020177985.tif 000002
【特許請求の範囲】
【請求項１】
窒化ガリウム系の材料を含む半導体レーザ素子と、
前記半導体レーザ素子の出射光の光路上に配置される第一レンズと、
前記第一レンズを透過した光の光路上に配置され、特定の波長の光を選択するための波長選択素子と、
前記波長選択素子を通過した光の光路上に配置され、光を出力ミラー上で結像する第二レンズと、
前記第二レンズを透過して集光された光の光路上に配置される前記出力ミラーと、
を備え、
前記出力ミラーは少なくとも一面に透光性の保護部材が接合され、
前記第二レンズを透過して、前記出力ミラーに入射される光を、前記出力ミラーの面上で結像させつつ、前記面を前記保護部材で保護してなる外部共振器型半導体レーザ。
【請求項２】
請求項１に記載の外部共振器型半導体レーザであって、
前記保護部材は、前記出力ミラーと直接接合により接合されてなる外部共振器型半導体レーザ。
【請求項３】
請求項１又は２に記載の外部共振器型半導体レーザであって、
前記第二レンズは、保護部材入射時の屈折による球面収差を緩和する非球面レンズである外部共振器型半導体レーザ。
【請求項４】
請求項１〜３のいずれか一項に記載の外部共振器型半導体レーザであって、
前記出力ミラーは、前記保護部材と結合する面に、多層膜をコーティングしてなる外部共振器型半導体レーザ。
【請求項５】
請求項１〜４のいずれか一項に記載の外部共振器型半導体レーザであって、
前記保護部材の反射率を、当該保護部材を構成する材質の屈折率から定まる反射率よりも低くしてなる外部共振器型半導体レーザ。
【請求項６】
請求項１〜５のいずれか一項に記載の外部共振器型半導体レーザであって、
前記保護部材の厚さが、０．３ｍｍ〜３.５ｍｍである外部共振器型半導体レーザ。
【請求項７】
窒化ガリウム系の材料を含む半導体レーザ素子と、
前記半導体レーザ素子の出射光の光路上に配置される第一レンズと、
前記第一レンズを透過された光の光路上に配置され、特定の波長の光を選択するための波長選択素子と、
前記波長選択素子を通過した光の光路上に配置され、光を出力ミラー上で結像する第二レンズと、
前記第二レンズを透過して集光された光の光路上に配置される前記出力ミラーと、
を備え、
少なくとも出力ミラーを含む一部、あるいは、全体が無塵封止されている、
外部共振器型半導体レーザ。
【請求項８】
請求項１〜７のいずれか一項に記載の外部共振器型半導体レーザであって、さらに、
前記共振器内に配置されるアクチュエータを備える外部共振器型半導体レーザ。
【請求項９】
請求項１〜８のいずれか一項に記載の外部共振器型半導体レーザであって、
前記半導体レーザが、その発光ピーク波長を３６０ｎｍ〜５２０ｎｍとしてなる外部共振器型半導体レーザ。
【請求項１０】
請求項１〜９のいずれか一項に記載の外部共振器型半導体レーザであって、
前記波長選択素子が、干渉フィルタである外部共振器型半導体レーザ。
【請求項１１】
請求項１〜１０のいずれか一項に記載の外部共振器型半導体レーザであって、
前記半導体レーザ素子が、ＩｎXＡｌYＧａ1-X-YＮ（０≦Ｘ、０≦Ｙ、Ｘ＋Ｙ＜１）で表される窒化物半導体である外部共振器型半導体レーザ。
【請求項１２】
請求項１１に記載の外部共振器型半導体レーザであって、
前記半導体レーザ素子が、端面をＡＲコートされている外部共振器型半導体レーザ。
【発明の詳細な説明】
【技術分野】
【０００１】
本発明は、外部共振器型半導体レーザに関する。
【背景技術】
【０００２】
反射面のミラーで集光するキャッツアイ型の構成を備える外部共振器型半導体レーザ（External-Cavity Laser Diode：以下「ＥＣＬＤ」ともいう。）は、従来の回折格子型ＥＣＬＤよりも堅牢な共振器構造を備え、より周波数安定度の高いレーザとされている（例えば非特許文献１）。
【先行技術文献】
【非特許文献】
【０００３】
【非特許文献１】Daniel J. Thompson, Robert E. Scholtena, "Narrow linewidth tunable external cavity diode laser using wide bandwidth filter" Review of Scientific Instruments 83, 023107 (February 2012) <https://doi.org/10.1063/1.3687441>
【発明の概要】
【発明が解決しようとする課題】
【０００４】
しかしながら、このようなキャッツアイ型ＥＣＬＤを、窒化ガリウム系半導体レーザ（ＧａＮ系ＬＤ）を用いて構成すると、パワーの低下が大きいという問題があった。
【０００５】
本発明の目的の一は、窒化ガリウム系半導体レーザを光源として用いた外部共振器型半導体レーザを提供することにある。
【課題を解決するための手段】
【０００６】
本発明の一側面に係る外部共振器型半導体レーザは、窒化ガリウム系の材料を含む半導体レーザ素子と、前記半導体レーザ素子の出射光の光路上に配置される第一レンズと、前記第一レンズを透過した光の光路上に配置され、特定の波長の光を選択するための波長選択素子と、前記波長選択素子を通過した光の光路上に配置され、光を出力ミラー上で結像する第二レンズと、前記第二レンズを透過して集光された光の光路上に配置される前記出力ミラーとを備える。前記出力ミラーは少なくとも一面に透光性の保護部材が接合され、前記第二レンズを透過して、前記出力ミラーに入射される光を、該出力ミラーの面上で結像させつつ、該面を前記保護部材で保護している。
【０００７】
本発明の他の側面に係る外部共振器型半導体レーザは、窒化ガリウム系の材料を含む半導体レーザ素子と、前記半導体レーザ素子の出射光の光路上に配置される第一レンズと、前記第一レンズを透過した光の光路上に配置され、特定の波長の光を選択するための波長選択素子と、前記波長選択素子を通過した光の光路上に配置され、光を出力ミラー上で結像する第二レンズと、前記第二レンズを透過して集光された光の光路上に配置される前記出力ミラーとを備える。少なくとも前記出力ミラーを含む一部、あるいは、全体が無塵封止され、該出力ミラーに入射される光を、該出力ミラーの面上で結像させつつ、該面を無塵封止により保護している。
【発明の効果】
【０００８】
上記構成により、出力ミラーの反射面においてキャッツアイレンズで集光される際に問題となる光集塵を、この反射面に保護基板を配置したこと、あるいは、反射面を無塵封止したことで効果的に抑制できる。
【図面の簡単な説明】
【０００９】
【図１】実施形態１に係る外部共振器型半導体レーザを示す模式図である。
【図２】図１の出力ミラーを示す斜視図である。
【図３】図２の出力ミラーの分解斜視図である。
【図４】実施形態２に係る外部共振器型半導体レーザを示す模式図である。
【図５】図４のピエゾ素子を示す分解斜視図である。
【図６】実施形態３に係る外部共振器型半導体レーザを示す模式図である。
【図７】実施形態４に係る外部共振器型半導体レーザを示す模式図である。
【図８】実施形態５に係る外部共振器型半導体レーザを示す模式図である。
【図９】従来の干渉フィルタを用いたＥＣＬＤを示す模式図である。
【発明を実施するための形態】
【００１０】
本発明の一形態に係る外部共振器型半導体レーザによれば、上記構成に加えて、前記保護部材を、前記出力ミラーと直接接合により接合させることができる。
【００１１】
さらにまた、本発明の他の形態に係る外部共振器型半導体レーザによれば、上記構成に加えて、前記第二レンズは、保護部材入射時の屈折による球面収差を緩和する非球面レンズとすることができる。これにより、収差を少なくして光を出力ミラー上で結像させることが可能となる。
【００１２】
さらにまた、本発明の他の形態に係る外部共振器型半導体レーザによれば、上記いずれかの構成に加えて、前記出力ミラーは、前記保護部材と結合する面に、多層膜をコーティングすることができる。上記構成により、接合面は耐光性の強いコーティングを施すことで、必要な反射率で反射させることができる。
【００１３】
さらにまた、本発明の他の形態に係る外部共振器型半導体レーザによれば、上記いずれかの構成に加えて、前記保護部材の反射率を、該保護部材を構成する材質の屈折率から定まる反射率よりも低くすることができる。
【００１４】
さらにまた、本発明の他の形態に係る外部共振器型半導体レーザによれば、上記いずれかの構成に加えて、前記保護部材の厚さを、０．３ｍｍ〜３．５ｍｍとすることができる。
【００１５】
さらにまた、本発明の他の形態に係る外部共振器型半導体レーザによれば、上記いずれかの構成に加えて、さらに、前記共振器内に配置されるアクチュエータを備えることができる。
【００１６】
さらにまた、本発明の他の形態に係る外部共振器型半導体レーザによれば、上記いずれかの構成に加えて、前記半導体レーザが、その発光ピーク波長を３６０ｎｍ〜５２０ｎｍとすることができる。
【００１７】
さらにまた、本発明の他の形態に係る外部共振器型半導体レーザによれば、上記いずれかの構成に加えて、前記波長選択素子を、干渉フィルタとすることができる。
【００１８】
さらにまた、本発明の他の形態に係る外部共振器型半導体レーザによれば、上記いずれかの構成に加えて、前記半導体レーザ素子を、ＩｎXＡｌYＧａ1-X-YＮ（０≦Ｘ、０≦Ｙ、Ｘ＋Ｙ＜１）で表される窒化物半導体とすることができる。
【００１９】
さらにまた、本発明の他の形態に係る外部共振器型半導体レーザによれば、上記いずれかの構成に加えて、前記半導体レーザ素子の端面をＡＲコートすることができる。
【００２０】
以下、本発明に係る実施形態及び変形例を、図面に基づいて説明する。ただし、以下に示す実施形態及び変形例は、本発明の技術思想を具体化するための例示であって、本発明は以下のものに限定されるものでない。また各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明に係る実施形態及び変形例を構成する各要素は、複数の要素を同一の部材で構成して一の部材で複数の要素を兼用する態様としてもよいし、逆に一の部材の機能を複数の部材で分担して実現することもできる。また、一部の実施形態及び変形例において説明された内容は、他の実施形態及び変形例に利用可能なものもある。さらに、本明細書において、層上等でいう「上」とは、必ずしも上面に接触して形成される場合に限られず、離間して上方に形成される場合も含んでおり、層と層の間に介在層が存在する場合も包含する意味で使用する。
［実施形態１］
【００２１】
本発明の実施形態１に係る外部共振器型半導体レーザの模式図を図１に示す。この図に示す外部共振器型半導体レーザ１００は、半導体レーザ素子４と、第一レンズ１と、波長選択素子５と、第二レンズ２と、出力ミラー１０と、第三レンズ３を備える。
（半導体レーザ素子４）
【００２２】
半導体レーザ素子４は、窒化ガリウム系の材料を含む半導体発光素子である。また半導体レーザの発光ピーク波長は、３６０ｎｍ〜５２０ｎｍとすることが好ましい。より好ましくは、青色光を発光する半導体レーザ素子とする。半導体レーザの出射面は、ＡＲコートされていることが望ましい。特に５００ｎｍ未満の領域では、光集塵が生じ易く、これがＥＣＬＤの劣化の原因となっていることを本願発明者らは見出した（詳細は後述）。
【００２３】
半導体レーザ素子４は、基板上に半導体積層体をエピタキシャル成長させて製造される。成長基板には、ＧａＮやＡｌＮ等の窒化物半導体基板が用いられる。また、窒化物半導体基板以外の基板を用いてもよい。このような基板としては、例えば、サファイアなどの絶縁性基板、ＳｉＣ、Ｓｉ、ＺｎＯ、Ｇａ2Ｏ3、ＧａＡｓなどの半導体基板、ガラスなどの上に窒化物半導体を成長させたテンプレート基板などが挙げられる。半導体積層体に用いられる材料としては、例えばＩｎXＡｌYＧａ1-X-YＮ（０≦Ｘ、０≦Ｙ、Ｘ＋Ｙ＜１）で表される窒化物半導体が挙げられる。
（第一レンズ１）
【００２４】
第一レンズ１は、半導体レーザ素子４の出射面側で、半導体レーザ素子４の出射光の光路上に配置され、出射光を平行光にするための光学部材である。第一レンズ１には、非球面レンズや平凸レンズ等が利用できる。また第一レンズ１にＡＲコートを施してもよい。
（波長選択素子５）
【００２５】
波長選択素子５は、特定の波長の光を選択するための部材である。半導体レーザ素子４が発する光源光の波長を、特定の波長の光に選択することで、ＥＣＬＤとして所望の波長の出力光を得ることが可能となる。この波長選択素子５は、第一レンズ１を透過してコリメートされた光の光路上に配置される。波長選択素子５は、好適には干渉フィルタが利用できる。波長選択素子５の材質は、ガラス、サファイア、フッ化物材料等の透明材料が利用できる。
（第二レンズ２）
【００２６】
第二レンズ２は、波長選択素子５を通過した光の光路上に配置され、平行光を集光して出力ミラー１０上で結像するための光学部材である。このような第二レンズ２は、キャッツアイレンズ等とも称される。第二レンズ２は、非球面レンズや平凸レンズを好適に利用できる。特に、光を出力ミラー１０の表面で収差を少なく結像させるように、保護部材の屈折率を考慮した非球面レンズを用いるのが望ましい。また第二レンズ２にもＡＲコートを施してもよい。
（出力ミラー１０）
【００２７】
出力ミラー１０は、第二レンズ２を透過して集光された光の光路上に配置される部材である。出力ミラー１０の反射率は、好ましくは２０〜３０％とする。干渉フィルタを往復で２度通過した際の透過率がＸ％の場合、ミラー１０の反射率に更に１００−Ｘ％程度を加算するのが望ましい。また出力ミラー１０は、ガラス、サファイア、フッ化物材料等透明材料で構成することができる。出力ミラー１０の斜視図を図２に、分解斜視図を図３に、それぞれ示す。図３に示すように、出力ミラー１０は透過面ＴＳと反射面ＲＳを有する。また、ＲＳとＴＳの配置は、それぞれのレーザの反射面でのスポット領域ＲＡ、及び、透過面でのスポット領域ＴＡを含んで、更に面積が十分大きい必要がある。ここでいう十分大きいとは、例えば図１に示すようにＲＳ及びＴＳが、それぞれ、ＲＡ及びＴＡの面積の１０倍以上である。
（多層膜１１）
【００２８】
また出力ミラー１０の反射面ＲＳには、多層膜１１をコーティングすることが好ましい。反射面ＲＳに耐光性に優れた多層膜１１のコーティングを施すことで、必要な反射率で反射させることができる。コーティングする多層膜１１の材質は、Ｔａ2Ｏ5、ＳｉＯ2等とすることができる。また多層膜１１の膜厚は、多層膜１１の材質の屈折率を考慮して設計される。
（保護部材２０）
【００２９】
さらに出力ミラー１０の少なくとも反射面ＲＳには、図３に示すように透光性の保護部材２０が接合される。これにより第二レンズ２を透過した光を、保護部材２０を通じて出力ミラー１０に入射できる。また保護部材２０の透過率は、高いことが好ましい。例えば、保護部材２０の入射面にＡＲコートを施すのが望ましい。これにより、第二レンズ２で出力ミラー１０側に集光されるレーザ光を阻害することなく、レーザ光の取り出し効率を低下させることなく光集塵を抑制できる。換言すると、保護部材の反射率を、この保護部材を構成する材質の屈折率から定まる反射率よりも低くすることが好ましい。例えばＡＲコートなどの被覆を施さない保護部材の反射率が４％の場合に、ＡＲコートを施すことで反射率を０．３％以下に抑制することができる。
【００３０】
保護部材２０は、ＢＫ７、合成石英、ＭｇＦ2等の材質で構成することができる。また保護部材２０は、出力ミラー１０と接着材等の接合部材を介さずに、直接接合により接合されることが好ましい。これにより、保護部材２０と出力ミラー１０との密着性を高め、接着材などによる光学ロス・パターンの劣化を抑制できる。
【００３１】
保護部材２０及び出力ミラー１０は、互いに主として無機材料で形成されていることから、例えば、圧着、焼結、表面活性化接合、原子拡散接合、水酸基接合によって直接接合することができる。
【００３２】
保護部材２０の形状や大きさは、出力ミラー１０の形状やレーザースポット領域の大きさに応じて設計される。保護部材の表面側領域Ｐ１及び反射面側領域Ｐ２は、それぞれ、保護部材表面でのレーザのスポット領域ＳＡ、及び、反射面でのレーザのスポット領域ＲＡを含んで、更に十分大きい必要がある。ここでいう十分大きいとは、例えば図１に示すようにＰ１及びＰ２が、それぞれ、ＳＡ及びＲＡの面積の１０倍以上である。保護部材２０は、出力ミラー１０の反射面ＲＳとほぼ同じ面積か、これよりも大きい面積を有する円板状に形成してもよい。これにより、反射面においては、ＲＡを含む、反射面ＲＳの全面を保護部材２０で保護し、入射面においては光出力を低減せずに光を透過できる。
【００３３】
また保護部材２０の厚さｄ２は、反射面ＲＳでのビームのスポット径やビーム強度にも依存するが、０．３ｍｍ〜３.５ｍｍとすることが好ましい。このようにある程度の厚さを保護部材２０に持たせることにより、図２に示すように保護部材２０の表面ではレーザ光の集光スポット径を大きくして、保護部材２０の表面での光集塵効果を低減する効果が得られる。
（第三レンズ３）
【００３４】
第三レンズ３は、出力ミラー１０を経て出力される出力光を平行光にする光学部材である。このような第三レンズ３も、非球面レンズや平凸レンズなどが好適に利用できる。特に、出力ミラー１０の透過側の屈折を考慮した非球面レンズを用いるのが望ましい。なお上述した第一レンズ１、第二レンズ２、第三レンズ３等の光学部材は、それぞれ一枚のレンズで構成する他、複数枚のレンズを組み合わせて構成することができる。また第三レンズ３にもＡＲコートを施してもよい。
【００３５】
以上の構成により、出力ミラーの反射面ＲＳにおいてキャッツアイレンズで集光される際に従来問題となっていた光集塵を、この反射面ＲＳに保護基板を配置したことで効果的に抑制できる。すなわち、エネルギー密度の高くなる反射面ＲＳを保護して集塵を防ぐと共に、入射面ではキャッツアイレンズからの光が十分に集束される前の状態で、広い面積で受けることができるため、光集塵の発現を抑制することが可能となる。
【００３６】
従来の干渉フィルタを用いたＥＣＬＤ７００の模式図を、図９に示す。この図に示すＥＣＬＤ７００は、半導体レーザ素子７０４と、第一レンズ７０１と、波長選択素子７０５と、第二レンズ７０２と、出力ミラー７１０と、第三レンズ７０３を備える。このような干渉フィルタ型ＥＣＬＤは、従来の回折格子型ＬＤよりも堅牢な共振器構造を備え、より周波数安定度が高いとされている。この堅牢性は、外部共振器の出力ミラーが反射面で集光するキャッツアイ型であることに由来する。しかしながら、ＧａＮ系ＬＤで干渉フィルタ型ＥＣＬＤを構築すると、原因が明らかでないものの、出力が徐々に劣化するという問題があった。
【００３７】
本願発明者らは鋭意研究の結果、この原因が光集塵にあることを見出し、本発明を成すに至った。すなわち、ＧａＮ系ＬＤを光源に用いると、出力の劣化が顕著になる原因は、従来明らかでなかったところ、レーザ光の出力側で出力ミラーの表面上の狭い領域にレーザ光を集光させる際、異物が付着する光ピンセット効果が顕著となることが原因であることを発見した。特にＧａＮ系ＬＤは波長が短く、紫外光に近いため異物が吸収しやすい波長となっており、長波長の光源と比べて光ピンセット効果が高くなる。この光ピンセット効果の増大によって、光集塵が顕著となり、ＧａＮ系ＬＤを用いた干渉フィルタ型ＥＣＬＤでは経年劣化が他の干渉フィルタ型ＥＣＬＤと比べて大きくなっていた。
【００３８】
これに対して本実施形態では、光集塵が生じる出力ミラー１０の反射面ＲＳに、保護部材２０を設けている。このように光集塵の原因となる出力ミラー１０の反射面ＲＳを被覆して異物の侵入を阻止することで、効果的に光集塵を阻止できる。その一方で、出力ミラー１０の反射面ＲＳを被覆した保護部材２０の表面に光集塵が生じ得る点については、保護部材２０の厚さをある程度持たせることにより抑制できる。すなわちキャッツアイ型の干渉フィルタ型ＥＣＬＤにおいては、第二レンズ２で出力ミラー１０の表面に集光するように光学設計されている。いいかえると、出力ミラー１０の表面で焦点を結ぶように光学設計される結果、出力ミラー１０の表面から離間する程、光のスポット径は大きくなる。本願発明者らの研究によれば、スポット径が小さいほど光集塵の影響が大きく、逆にスポット径が大きくなると、光集塵の影響も小さくなることが判明した。そこで、焦点位置から離間させることで、すなわち出力ミラー１０の反射面ＲＳから離間させることで、光集塵の効果を抑制できる。この結果、光集塵の影響を効果的に抑制して、安価な窒化ガリウム系半導体レーザを光源としたキャッツアイ型干渉フィルタ型ＥＣＬＤを実現できる。特に、光が空気中から入出射する面で光を十分に拡大させることにより、光集塵を回避できる結果、周波数安定度が高く、外部共振器型半導体レーザが実現される。また、安定的に長寿命で発振を維持することが可能となる。
［実施形態２］
【００３９】
また本発明の実施形態２に係る外部共振器型半導体レーザ２００の模式図を図４に示す。なお上述した部材と同様の機能を有する部材については、同じ符号を付して詳細説明を省略する。この図に示す外部共振器型半導体レーザ２００は、外部共振器にアクチュエータ（図４ではピエゾ素子６）を追加している。これにより、ピエゾ素子６で共振器長を微調整して、出力されるレーザ光の波長を変更することが可能となり、線幅狭窄化や波長安定化などが容易に行える利点が得られる。ピエゾ素子６は、例えば、チタン酸ジルコン酸鉛等の素材で構成される。
【００４０】
図４のピエゾ素子６の分解斜視図を図５に示す。この図に示すようにピエゾ素子６は円環状に構成しており、ピエゾ素子６が第二レンズ２から保護部材２０を通じた出力ミラー１０の反射面ＲＳへの集光を阻害しないように構成している。
［実施形態３］
【００４１】
以上の例では、保護部材２０で出力ミラー１０の反射面ＲＳ側を直接被覆する構成を説明した。ただ本発明は、保護部材２０で出力ミラー１０の反射面ＲＳを被覆する構成に限定せず、出力ミラーの反射面を非接触で封止することで異物の侵入を防いでもよい。このような例を実施形態３に係る外部共振器型半導体レーザ３００として、図６に示す。この図においても、上述した部材と同様の機能を有する部材については、同じ符号を付して詳細説明を省略する。図６に示す外部共振器型半導体レーザ３００は、出力ミラー１０の入射面側の集光領域を、透光性の保護部材２０Ｂで無塵封止している。この際、光の入射面は、反射面よりも０．５〜３．５ｍｍ程度離れているのが望ましい。保護部材２０Ｂは、例えばガラス、サファイア、フッ化物材料等の材質が利用できる。この構成であれば、反射面と接合部が異なるため、接着剤などの光学ロスを伴う封止法を使っても構わないという利点がえられる。
【００４２】
また、光集塵の原因となる異物の侵入を防ぐため、例えば図７に示す実施形態４に係る外部共振器型半導体レーザ４００のように、共振器を封止部材２０Ｃで被覆して無塵封止し、共振器を配置した空間内を真空または減圧状態に維持ししてもよい。あるいはまた、クリーンガスを、共振器を配置した空間内に封入してもよい。
【００４３】
以上の例では、保護部材２０側から光を入射し、出力ミラーの透過面ＴＳ側から光を出射する例を説明した。ただ本発明はこの構成に限られず、出力ミラー１０の透過面ＴＳ側から光を入射し、保護部材２０側から光を出射する構成としてもよい。このような例を実施形態５に係る外部共振器型半導体レーザとして、図８に示す。この図において、上述した部材と同じ機能を有する部材については、同じ名称を付して詳細説明を適宜省略する。図８に示す外部共振器型半導体レーザ５００は、出力ミラー１０’の透過面側から光を入射し、多層膜１１‘を設けた反射面で光を集光し、保護部材２０’から光を出射している。このような構成においても、同様に光集塵の抑制効果が発揮される。
【００４４】
以上のように、本実施形態によれば、出力ミラー１０の反射面ＲＳにおいて第二レンズ２で集光させる際に障害となっていた光集塵を、この反射面ＲＳに保護部材２０を配置したこと、あるいは反射面ＲＳを無塵封止したことで、効果的に抑制できる。すなわち、エネルギー密度の高くなる反射面ＲＳを保護して集塵を防ぐと共に、保護部材２０の表面では第二レンズ２からの光が十分に集束される前の状態で、広い面積で受けることができるため、光集塵の発現を抑制することが可能となる。
【産業上の利用可能性】
【００４５】
実施形態に係る外部共振器型半導体レーザは、レーザ冷却・精密分光・高次高調波発生・ＬｉＤＡＲなどに好適に利用できる。
【符号の説明】
【００４６】
１００、２００、３００、４００、５００…外部共振器型半導体レーザ
１…第一レンズ
２…第二レンズ
３…第三レンズ
４…半導体レーザ素子
５…波長選択素子
６…ピエゾ素子
１０、１０’…出力ミラー
１１、１１’…多層膜
２０、２０Ｂ、２０Ｃ、２０’…保護部材
７００…従来の干渉フィルタを用いたＥＣＬＤ
７０１…第一レンズ
７０２…第二レンズ
７０３…第三レンズ
７０４…半導体レーザ素子
７０５…波長選択素子
７１０…出力ミラー
ＴＳ…透過面
ＲＳ…反射面
Ｐ１…保護部材の表面側領域
Ｐ２…保護部材の反射面領域
ＴＡ…透過面におけるビームスポット領域
ＲＡ…反射面におけるビームスポット領域
ＳＡ…保護部材表面におけるビームスポット領域
【図１】
2020177985.tif 000003
【図２】
2020177985.tif 000004
【図３】
2020177985.tif 000005
【図４】
2020177985.tif 000006
【図５】
2020177985.tif 000007
【図６】
2020177985.tif 000008
【図７】
2020177985.tif 000009
【図８】
2020177985.tif 000010
【図９】
2020177985.tif 000011